【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
移動体が所定箇所に進入することが制限される予定の時刻の範囲を示す範囲情報と、前記移動体が前記所定箇所まで移動する経路を示す経路情報とを記憶する記憶装置と、
前記移動体が前記記憶装置に記憶された経路情報が示す経路上を移動した場合に前記所定箇所に到達する時刻を到達時刻として予測する予測部と、
前記移動体が第１の位置にいると仮定した場合に前記予測部により予測される到達時刻と、前記記憶装置に記憶された範囲情報が示す時刻の範囲の開始時刻とが一致し、前記移動体が第２の位置にいると仮定した場合に前記予測部により予測される到達時刻と、当該範囲情報が示す時刻の範囲の終了時刻とが一致するように、前記第１の位置から前記第２の位置までの位置の範囲を計算する計算部と、
前記記憶装置に記憶された経路情報が示す経路上に、前記移動体が実際にいる位置と、前記計算部により計算された位置の範囲とを表示する画面を生成する生成部と、
前記生成部により生成された画面を出力する出力装置と
を備える航空管制のための画面出力システム。
【請求項２】
前記生成部は、前記移動体が実際にいる位置と前記計算部により計算された位置の範囲とが重なっている場合、前記画面として、前記移動体が実際にいる位置をずらして表示する画面を生成する請求項１に記載の航空管制のための画面出力システム。
【請求項３】
前記生成部は、前記画面として、前記計算部により計算された位置の範囲を前後に予め定められた距離分、拡大して表示する画面を生成する請求項１又は２に記載の航空管制のための画面出力システム。
【請求項４】
前記範囲情報は、前記移動体が前記所定箇所に進入することが制限される予定の時刻の範囲として、他の移動体が前記所定箇所を使用することが原因で前記移動体が運航上の制約を受ける予定の時刻の範囲を示す情報を含み、
前記計算部は、前記第１の位置から前記第２の位置までの位置の範囲として、前記原因が同じことから前記第１の位置が同じになり、前記制約が違うことから前記第２の位置がそれぞれ違う複数の位置の範囲を計算する請求項１から３のいずれか１項に記載の航空管制のための画面出力システム。
【請求項５】
前記生成部は、前記画面として、前記複数の位置の範囲を表示する画面を生成する請求項４に記載の航空管制のための画面出力システム。
【請求項６】
前記生成部は、前記制約の違いに応じて、前記複数の位置の範囲の表示を変更する請求項５に記載の航空管制のための画面出力システム。
【請求項７】
前記生成部は、前記画面として、前記複数の位置の範囲のうち、前記第１の位置より前記第２の位置が最も遠い位置の範囲を表示する画面を生成する請求項４に記載の航空管制のための画面出力システム。
【請求項８】
前記生成部は、前記画面として、前記複数の位置の範囲のうち、前記第１の位置より前記第２の位置が最も近い位置の範囲を表示する画面を生成する請求項４に記載の航空管制のための画面出力システム。
【請求項９】
前記範囲情報は、前記移動体が前記所定箇所に進入することが制限される予定の時刻の範囲として、他の移動体が前記所定箇所を使用する予定の時刻の範囲を示す情報を含み、
前記計算部は、前記移動体として、前記所定箇所に移動する経路が異なる複数の移動体がある場合、経路ごとに、その経路を移動する移動体の前記第１の位置から前記第２の位置までの位置の範囲を計算し、
前記生成部は、前記画面として、経路ごとに、その経路を移動する移動体が実際にいる位置と、前記計算部により計算された位置の範囲とを表示する画面であって、１つの移動体が実際にいる位置が１つの経路上に表示され、かつ、当該１つの移動体を前記他の移動体として前記計算部により計算された位置の範囲が他の経路上に表示される場合、当該１つの経路上に表示される位置と当該他の経路上に表示される位置の範囲とを結ぶ線を表示する画面を生成する請求項１から３のいずれか１項に記載の航空管制のための画面出力システム。
【請求項１０】
前記移動体は、航空機であり、
前記生成部は、前記画面として、前記記憶装置に記憶された経路情報が示す経路を線で表示し、前記航空機が実際にいる位置を、前記航空機の運航性能に応じた幅を持つ枠で表示する画面を生成する請求項１から９のいずれか１項に記載の航空管制のための画面出力システム。
【請求項１１】
前記生成部は、前記画面として、前記記憶装置に記憶された経路情報が示す経路を、ＲＮＡＶに応じた幅を持つ線で表示する画面を生成する請求項１から１０のいずれか１項に記載の航空管制のための画面出力システム。
【請求項１２】
前記所定箇所は、空港の滑走路と空港のスポットと航路上の特定の地点とのいずれかである請求項１から１１のいずれか１項に記載の航空管制のための画面出力システム。
【請求項１３】
移動体が所定箇所に進入することが制限される予定の時刻の範囲を示す範囲情報と、前記移動体が前記所定箇所まで移動する経路を示す経路情報とを記憶する記憶装置と、画面を出力する出力装置とを備えるコンピュータが、前記移動体が前記記憶装置に記憶された経路情報が示す経路上を移動した場合に前記所定箇所に到達する時刻を到達時刻として予測し、
前記コンピュータが、前記移動体が第１の位置にいると仮定した場合に予測される到達時刻と、前記記憶装置に記憶された範囲情報が示す時刻の範囲の開始時刻とが一致し、前記移動体が第２の位置にいると仮定した場合に予測される到達時刻と、当該範囲情報が示す時刻の範囲の終了時刻とが一致するように、前記第１の位置から前記第２の位置までの位置の範囲を計算し、
前記コンピュータが、前記画面として、前記記憶装置に記憶された経路情報が示す経路上に、前記移動体が実際にいる位置と、計算した位置の範囲とを表示する画面を生成する航空管制のための画面出力方法。
【請求項１４】
移動体が所定箇所に進入することが制限される予定の時刻の範囲を示す範囲情報と、前記移動体が前記所定箇所まで移動する経路を示す経路情報とを記憶する記憶装置と、画面を出力する出力装置とを備えるコンピュータに、
前記移動体が前記記憶装置に記憶された経路情報が示す経路上を移動した場合に前記所定箇所に到達する時刻を到達時刻として予測する処理と、
前記移動体が第１の位置にいると仮定した場合に予測される到達時刻と、前記記憶装置に記憶された範囲情報が示す時刻の範囲の開始時刻とが一致し、前記移動体が第２の位置にいると仮定した場合に予測される到達時刻と、当該範囲情報が示す時刻の範囲の終了時刻とが一致するように、前記第１の位置から前記第２の位置までの位置の範囲を計算する処理と、
前記画面として、前記記憶装置に記憶された経路情報が示す経路上に、前記移動体が実際にいる位置と、計算された位置の範囲とを表示する画面を生成する処理と
を実行させる航空管制のためのプログラム。
【手続補正２】
【補正対象書類名】明細書
【補正対象項目名】発明の名称
【補正方法】変更
【補正の内容】
【発明の名称】航空管制のための画面出力システム及び画面出力方法及びプログラム
【手続補正３】
【補正対象書類名】明細書
【補正対象項目名】０００７
【補正方法】変更
【補正の内容】
【０００７】
本発明の一の態様に係る航空管制のための画面出力システムは、
移動体が所定箇所に進入することが制限される予定の時刻の範囲を示す範囲情報と、前記移動体が前記所定箇所まで移動する経路を示す経路情報とを記憶する記憶装置と、
前記移動体が前記記憶装置に記憶された経路情報が示す経路上を移動した場合に前記所定箇所に到達する時刻を到達時刻として予測する予測部と、
前記移動体が第１の位置にいると仮定した場合に前記予測部により予測される到達時刻と、前記記憶装置に記憶された範囲情報が示す時刻の範囲の開始時刻とが一致し、前記移動体が第２の位置にいると仮定した場合に前記予測部により予測される到達時刻と、当該範囲情報が示す時刻の範囲の終了時刻とが一致するように、前記第１の位置から前記第２の位置までの位置の範囲を計算する計算部と、
前記記憶装置に記憶された経路情報が示す経路上に、前記移動体が実際にいる位置と、前記計算部により計算された位置の範囲とを表示する画面を生成する生成部と、
前記生成部により生成された画面を出力する出力装置とを備える。
【手続補正４】
【補正対象書類名】明細書
【補正対象項目名】０００８
【補正方法】変更
【補正の内容】
【０００８】
本発明の一の態様によれば、所定箇所Ｌに向かっている移動体の移動速度や移動方向等の調整を行う際に、移動体が所定箇所Ｌに進入すべきでない時刻の範囲を容易に把握できるようになる。